(57)【特許請求の範囲】
【請求項１】
遊技球の入球可能な複数の入賞口を有する遊技領域が形成された遊技盤と、
前記遊技盤が着脱可能に取り付けられる前枠と、
前記遊技盤後面側に設けられ、前記入賞口に入球した遊技球を集合させる集合路を有する集合板と、
前記遊技盤後面側で前記前枠に開閉自在に設けられ、略中央に開口部が形成されると共に前記集合路からの遊技球を受け止めて遊技機外部に排出するための誘導通路を有する機構板と、
前記開口部周縁の下部よりも上方にある遊技機の電気的構成部材と該開口部周縁の下部よりも下方にある遊技機の電気的構成部材間を電気的に接続する配線とを備えた弾球遊技機において、
前記機構板における誘導通路の側方に、前記配線の少なくとも一部が収容可能な収容空間を有する配線収容部を設け、
前記配線収容部は前記機構板の前記開口部周縁の下部であり、且つ前記配線収容部の上部が遊技盤の後側に位置するように設けられ、
前記配線収容部の前記収容空間は、前記機構板の前面側に立設された仕切壁によって形成されていると共に、前記収容空間の上部は前記仕切壁の少なくとも一部を切り欠いた切り欠き部或いは前記仕切壁の欠如による開放部により構成され、
前記切り欠き部或いは前記開放部によって、前記機構板の閉時において、前記機構板の前記開口部周縁下部の前面と前記遊技盤の後面間に前記配線が挿通可能な配線挿通可能空間が構成され、前記配線挿通可能空間を介して前記収容空間と前記機構板の開口部とを連通するようにし、前記配線収容部の前記収容空間内に収容された前記配線が前記配線挿通可能空間を挿通して前記開口部内に導出する構成とし、
前記機構板の前記配線収容部の下部前端と前記遊技盤下方の前記前枠後側との間に、前記前枠後側の前記配線を前記収容空間に挿入する隙間を設けたことを特徴とする弾球遊技機。
【請求項２】
配線収容部の収容空間の前側が開口していることを特徴とする請求項１に記載の弾球遊技機。
【請求項３】
機構板には開口部が形成され、その開口部周縁の下部に誘導通路と配線収容部とが隣接して設けられていることを特徴とする請求項１又は２に記載の弾球遊技機。
【請求項４】
前記遊技盤の後面と機構板の開口部周縁下部の前面とが密接していることを特徴とする請求項１〜３の何れか１項に記載の弾球遊技機。
【請求項５】
配線収容部の収容空間内に収容される配線が、機構板以外の部材に配設された遊技機の電気的構成部材間を接続する配線であることを特徴とする請求項１〜４の何れか１項に記載の弾球遊技機。
【請求項６】
機構板の誘導通路が集合板の集合路の下方に設けられ、前記誘導通路の遊技球受入可能幅が集合板の集合路下部の出口幅と同一、或いは略同一であることを特徴とする請求項１〜５の何れか１項に記載の弾球遊技機。
【発明の詳細な説明】
【０００１】
【発明の属する技術分野】
本発明は、パチンコ遊技機等の弾球遊技機に関し、特には遊技盤と、該遊技盤の入賞口に入球した入賞球を集合させるための集合板と、該集合板を介して集められた入賞球を遊技機外部に排出するための誘導通路を有する機構板と、遊技機の構成部品間を接続する配線とを備えた弾球遊技機に関する。
【０００２】
【従来の技術】
図１２に概略を示すように、従来のパチンコ遊技機等の弾球遊技機８０においては、外枠８１と、前記外枠８１の前面に前方へ開閉可能に取り付けられて開口部を有する前枠８２と、該前枠８２内に着脱可能に装着されて、遊技球の入球可能な複数の入賞口と該入賞口の何れにも入球しなかった遊技球を回収するためのアウト口（排出口とも称される。）を有する遊技領域が前面側に形成された遊技盤（図示せず）とを備えている。前記遊技盤は、図１２に示す前枠８２の後側に固定された遊技盤取付枠（基枠とも称される。）８３に、或いは前枠８２に直接取り付けられる。前記前枠８２の前面側（表側）には、前記遊技盤を覆うガラス枠８４や、賞球及び貸球を受ける球受け皿部と該球受け皿部の後側に固定された取付板部を有する皿部材（図示せず）が、その一側縁で前枠８２に対して開閉自在に取り付けられている。
【０００３】
また、前記遊技盤の後面（裏面）側には、前記遊技盤の入賞口に入球した遊技球及び前記アウト口からの遊技球を集合させる集合路を有する集合板（図示せず）や、前記集合路からの遊技球を受け止めて遊技機外部に排出するための誘導通路９１を有する機構板９０が設けられている。なお、一般的に、前記機構板９０は、その一端縁側が前記遊技盤取付枠８３或いは前枠８２に軸着部材９２，９３で連結されて、該遊技盤取付枠８３或いは前枠８２に対して開閉自在に構成されている。さらに、通常、前記機構板９０の略中央には、開口部９５が形成され、その開口部９５周縁の下部に前記誘導通路９１が設けられている。
【０００４】
さらに、当該弾球遊技機８０の後側（裏側）には、前記集合板，機構板の他、遊技の進行に必要な各種の構成部品が配設される。具体的には、前記遊技盤の後面側，集合板の後面側，機構板９０の後面側には、前記入賞口に入球した遊技球を検出するフォトセンサー等の入賞検出器や、各種制御基板や、払出装置等が配設されている。また、前記皿部材の後側（より詳しく言えば、皿部材の取付板部後面と前枠８２前面或いは遊技盤取付枠８３前面との間）には、音声や効果音等を発するスピーカ等が配設されている。なお、前記入賞検出器，各種制御基板，払出装置，スピーカ等の電気的性質を有する構成部品を総称して、電気部品と言う。前記各電気部品等の各構成部品間は、導線やハーネス等の配線（導電性を有しない線を含む。）により接続されている。
【０００５】
しかしながら、上記従来の弾球遊技機８０では、遊技機後側（裏側）で前記構成部品間を接続する配線が多数存在している。殊に、前記機構板９０の開口部９５内及びその周辺では、多数の配線が密集している。このため、当該配線が嵩張ってしまい、遊技機の後側が煩雑な構造となる問題がある。
【０００６】
また、当該弾球遊技機８０においては、前記遊技盤の後面と機構板９０の開口部９５周縁下部（誘導通路９１形成部位及びその周縁）の前面とが密接し、両者の間に隙間が存在しないため、前記遊技盤の後面（より詳しく言えば機構板９０の開口部９５内側に位置する遊技盤の後面）に配設された構成部品と、前記遊技盤以外の部材、例えば前枠８２，遊技盤取付枠８３，皿部材，機構板９０等に配設された構成部品との接続は、図１３に示すような機構板９０の後側から機構板９０の開口部９５を通過して遊技盤の後側に至る配線１００により接続されていた。つまり、当該両部品同士を接続する配線は、機構板９０をまたぐ（挟む）構成となっていた。例えば、前記皿部材の後側に設けられたスピーカと遊技盤の後面に設けられた音声制御基板は次のように接続されている。スピーカに接続された配線１００は、前枠８２及び遊技盤取付枠８３の少なくとも一方に形成された配線取り出し口を介して、遊技機８０の後側に引き回され、さらに機構板９０の後側を通って、機構板９０の開口部９５内側で遊技盤に取り付けられている音声制御基板に接続されている。
【０００７】
しかしながら、上述の機構板をまたぐように機構板の開口部を通過する配線が多数存在する場合には、遊技機のメンテナンス時における各構成部品の修理，調整等を行うために、機構板を後方側へ開放しようとする際に、機構板に配設された各基板等の構成部品及びその構成部品につながっている配線を取り外しても、上記例示のスピーカと音声制御基板を接続する配線等のように、機構板の後側から開口部を通過する配線が依然存在してしまい、その配線が引っかかる等、機構板の開放の邪魔になることがあった。従って、機構板を全く開くことができなかったり、僅かしか開けられなかったりして、前記修理，調整等の作業効率が悪い場合があった。そのため、従来では、前記機構板をまたぐ多数の配線を、それらの配線がつながれている構成部品から取り外した後に、機構板の開放を行っており、極めて手間が掛かる問題があった。
【０００８】
【発明が解決しようとする課題】
本発明はこのような状況に鑑みなされたもので、遊技機後側における配線の嵩張りを低減できると共に、機構板をまたいで各構成部品間を接続する配線を無くし、或いは少なくし、機構板の開放が不可能或いは困難になるのを防ぐことができ、ひいてはメンテナンス等における作業効率の向上を実現できる弾球遊技機を提供する。
【０００９】
【課題を解決するための手段】
請求項１の発明は、遊技球の入球可能な複数の入賞口を有する遊技領域が形成された遊技盤と、前記遊技盤が着脱可能に取り付けられる前枠と、前記遊技盤後面側に設けられ、前記入賞口に入球した遊技球を集合させる集合路を有する集合板と、前記遊技盤後面側で前記前枠に開閉自在に設けられ、略中央に開口部が形成されると共に前記集合路からの遊技球を受け止めて遊技機外部に排出するための誘導通路を有する機構板と、前記開口部周縁の下部よりも上方にある遊技機の電気的構成部材と該開口部周縁の下部よりも下方にある遊技機の電気的構成部材間を電気的に接続する配線とを備えた弾球遊技機において、前記機構板における誘導通路の側方に、前記配線の少なくとも一部が収容可能な収容空間を有する配線収容部を設け、前記配線収容部は前記機構板の前記開口部周縁の下部であり、且つ前記配線収容部の上部が遊技盤の後側に位置するように設けられ、前記配線収容部の前記収容空間は、前記機構板の前面側に立設された仕切壁によって形成されていると共に、前記収容空間の上部は前記仕切壁の少なくとも一部を切り欠いた切り欠き部或いは前記仕切壁の欠如による開放部により構成され、前記切り欠き部或いは前記開放部によって、前記機構板の閉時において、前記機構板の前記開口部周縁下部の前面と前記遊技盤の後面間に前記配線が挿通可能な配線挿通可能空間が構成され、前記配線挿通可能空間を介して前記収容空間と前記機構板の開口部とを連通するようにし、前記配線収容部の前記収容空間内に収容された前記配線が前記配線挿通可能空間を挿通して前記開口部内に導出する構成とし、前記機構板の前記配線収容部の下部前端と前記遊技盤下方の前記前枠後側との間に、前記前枠後側の前記配線を前記収容空間に挿入する隙間を設けたことを特徴とする。
【００１０】
請求項２の発明は、請求項１において、配線収容部の収容空間の前側が開口していることを特徴とする。
【００１１】
請求項３の発明は、請求項１又は２において、機構板には開口部が形成され、その開口部周縁の下部に誘導通路と配線収容部とが隣接して設けられていることを特徴とする。
【００１２】
請求項４の発明は、請求項１〜３の何れか１項において、前記遊技盤の後面と機構板の開口部周縁下部の前面とが密接していることを特徴とする。
【００１３】
請求項５の発明は、請求項１〜４の何れか１項において、配線収容部の収容空間内に収容される配線が、機構板以外の部材に配設された遊技機の電気的構成部材間を接続する配線であることを特徴とする。
【００１４】
請求項６の発明は、請求項１〜５の何れか１項において、機構板の誘導通路が集合板の集合路の下方に設けられ、前記誘導通路の遊技球受入可能幅が集合板の集合路下部の出口幅と同一、或いは略同一であることを特徴とする。
【００１５】
【発明の実施の形態】
以下添付の図面に基づき本発明の好適な実施形態を説明する。図１は本発明の第１実施例に係る弾球遊技機を示す前面（正面）図、図２は同弾球遊技機のガラス枠及び皿部材の開放時を示す前方から見た図、図３は同弾球遊技機の中央カバーや配線等の部品の一部を取り外した状態の後面（裏面）図、図４は同弾球遊技機の前枠に集合板及び機構板を取り付けた状態の後面（裏面）図、図５は同弾球遊技機の集合板及び機構板の後面（裏面）図、図６は同弾球遊技機の機構板の前面図、図７は同機構板の配線収容部及びその周辺を示す部分斜視図、図８は同弾球遊技機の遊技盤を前枠に取り付けた場合における図５のｘ−ｘ断面図、図９は同弾球遊技機の前枠の後面（裏面）図、図１０は本発明の第２実施例における機構板の配線収容部及びその周辺を示す部分斜視図、図１１は本発明の第３実施例における集合板及び機構板の後面（裏面）図である。
【００１６】
図１〜図３に示す弾球遊技機１は、本発明の第１実施例に係る弾球遊技機、ここではパチンコ遊技機である。当該弾球遊技機１は、枠形状からなる外枠３と、該外枠３に開閉可能に取り付けられた前枠５と、該前枠５の前側に開閉可能に取り付けられたガラス枠（ガラス扉）７と、同じく前枠５に開閉可能に取り付けられた皿部材（ここでは上側球受け皿部１１と取付板部１３を有する上皿部材）９と、前記前枠５に着脱交換可能に取り付けられた遊技盤２０と、操作ハンドルＨ１等を有し遊技球を発射するための発射装置Ｈ等を備えている。
【００１７】
なお、この例における前記前枠５は、図１２に示した従来例の弾球遊技機８０における前枠８２と遊技盤取付枠８３がプラスチック等で一体に形成されたものが相当し、その前枠５の後面（裏面）に直接、遊技盤２０が着脱可能に取り付けられている。勿論、これに限らず、前記従来の弾球遊技機８０と同様に、前枠の後側に固定された遊技盤取付枠を介して遊技盤が取り付けられるようにしても良い。また、前記前枠５の略中央には、開口部５ｏ（図２及び図９参照）が形成され、前枠５の後側に取り付けられた遊技盤２０の一部（後述する遊技領域及びその周辺）が見えるようになっている。さらに、図２の点線部分から理解されるように、前記皿部材９の上側球受け皿部１１と取付板部１３間には、遊技中等に音声や効果音を発生するスピーカＳが配設されている。勿論、スピーカＳの配設位置は上側球受け皿部１１と取付板部１３間に限定されることはなく、例えば、取付板部１３の後面側に設けられても良い。
【００１８】
前記遊技盤２０の縁には遊技球の外側ガイドレール２１及び内側ガイドレール２３が略円形に立設され、前記内側ガイドレール２３によって囲まれた遊技領域２５に、普通図柄表示装置２７、特別図柄表示装置２９、各種の入賞口及びアウト口Ｏ等を備える。入賞口としては、特別図柄表示装置２９の下方に上側第１種始動入賞口Ｎ１、可動片を有する普通電動役物（チャッカーとも称される。）で構成される下側第１種始動入賞口Ｎ２、開閉扉を有する特別電動役物（大入賞装置とも称される。）で構成される大入賞口Ｎ３が配設され、また、前記上側及び下側第１種始動入賞口Ｎ１，Ｎ２の左右には左袖入賞口Ｎ４と右袖入賞口Ｎ５、前記大入賞口Ｎ３の両側には左落とし入賞口Ｎ６と右落とし入賞口Ｎ７が配設されている。
【００１９】
そして、前記発射装置Ｈの操作ハンドルＨ１の操作により発射された遊技球が外側ガイドレール２１と内側ガイドレール２３間の通路を通って遊技領域２５内に発射され、転動しながら落下し、前記各入賞口へ入球すると、その入球が後述する各検出手段により検出され、所定数の賞球（遊技球）が前記皿部材９の上側球受け皿部１１上に払い出されるようになっている。特に、前記第１種始動入賞口Ｎ１，Ｎ２に遊技球が入球すると、前記特別図柄装置２９で特別図柄が変動し、特定の組合せの図柄で停止すると、大当りとなって大入賞口Ｎ３が所定回数開閉を繰り返して遊技球を入球し易くし、入球ごとに所定数の遊技球が賞球として払い出される。一方、何れの入賞口にも入球しなかった遊技球は前記アウト口Ｏに入球して回収されるようになっている。
【００２０】
また、前記遊技領域２５の特別図柄表示装置２９の左右には普通図柄変動開始用左ゲートＧ１及び普通図柄変動開始用右ゲートＧ２が設けられ、それらのゲートＧ１，Ｇ２に遊技球が入球することにより前記普通図柄表示装置２７で普通図柄が変動し、特定の普通図柄で停止することによって、小当たりとなって、前記下側第１種始動入賞口Ｎ２が拡開開放して遊技球が入球し易くなる。
【００２１】
前記遊技盤２０の後面（裏面）には、前記下側第１種始動入賞口Ｎ２の可動片を開閉するソレノイド，前記大入賞口Ｎ３の開閉扉を開閉するソレノイド，各入賞口に入球（入賞）した遊技球を検出するフォトセンサや近接スイッチ等よりなる入球検出手段が複数設けられている。また、図３及び図４に示すように、前記遊技盤２０の後側（裏側）には、集合板４０，機構板５０，各種の基板や、その他の遊技の進行に必要な構成部品が配設される。図３中の符号３０は遊技球を溜めるタンク、３１はタンクレール、３２は賞球払出機構部、３３は貸球払出機構部、３４，３５は電源プラグ、Ｈ２は発射装置の操作ハンドルＨ１の操作により駆動するモータ、Ｈ３は発射装置Ｈの遊技球を弾発発射する打球槌、ｋ１はランプ中継基板、ｋ２は入賞スイッチ中継基板、ｋ３は音声制御基板、ｋ４はランプ制御基板、ｋ５は枠用外部出力端子基板、ｋ６は枠飾りランプ中継基板、ｋ７は受電基板、ｋ８は盤面用外部出力端子基板、ｋ９はフォト分配基板、ｋ１０は電源基板、ｋ１１は発射装置制御基板、ｋ１２は主基板、ｋ１３はＣＲ賞球払出制御基板である。なお、前記ｋ１〜ｋ４の各基板は遊技盤２０（図柄表示装置２７，２９を含む。）の後面に取り付けられ、ｋ５〜ｋ１３の基板は後述の如く機構板５０に取り付けられている。
【００２２】
前記普通図柄表示装置２７及び特別図柄表示装置２９，賞球払出機構部３２，貸球払出機構部３３，発射装置Ｈ，スピーカＳ，各基板ｋ１〜ｋ１３等の構成部品（ここでは電気部品）は、それぞれ対応する部品に、導線，ハーネス，ケーブル等の配線により接続されている。なお、図３中の符号ｅ１は普通図柄表示装置２７及び特別図柄表示装置２９と電源基板ｋ１０を接続する配線、ｅ２はランプ中継基板ｋ１とランプ制御基板ｋ４を接続する配線、ｅ３は入賞スイッチ中継基板ｋ２と主基板ｋ１２を接続する配線、ｅ４は音声制御基板ｋ３と電源基板ｋ１０を接続する配線、ｅ５は音声制御基板ｋ３と主基板ｋ１２を接続する配線、ｅ６は音声制御基板ｋ３とスピーカＳを接続する配線、ｅ７はフォト分配基板ｋ９と賞球払出機構部３２を接続する配線、ｅ８はフォト分配基板ｋ９と主基板ｋ１２を接続する配線、ｅ９はフォト分配基板ｋ９とＣＲ賞球払出制御基板ｋ１３を接続する配線、ｅ１０は電源基板ｋ１０と発射装置制御基板ｋ１１を接続する配線、ｅ１１は電源基板ｋ１０と主基板ｋ１２を接続する配線、ｅ１２は発射装置制御基板ｋ１１と主基板ｋ１２を接続する配線、ｅ１３は発射装置制御基板ｋ１１と発射装置Ｈの操作ハンドルＨ１を接続する配線、ｅ１４は発射装置制御基板ｋ１１と発射装置ＨのモータＨ２を接続する配線、ｅ１５は主基板ｋ１２とＣＲ賞球払出制御基板ｋ１３を接続する配線、ｅ１６は貸球払出機構部３３とＣＲ賞球払出制御基板ｋ１３を接続する配線である。勿論、各構成部品間を接続する配線は上の例示の他にも存在する。
【００２３】
前記集合板４０は、前記各入賞口に入球した遊技球、つまり入賞球を集めるためのものである。この集合板４０は、各入賞口及び前記各入賞球を検出するための各検出手段等を覆うように前記遊技盤２０の後側に取り付けられ、図４及び図５から理解されるように、当該集合板４０の前側（内側）に入賞球流通空間４１を構成するようになっている。また、前記入賞球流通空間４１の下部には、後述する機構板５０の誘導通路に通じる集合路４２が設けられ、該集合路４２を介して前記各入賞口からの入賞球を集合させて、機構板５０の誘導通路方向（ここでは下方）へ誘導するようになっている。
【００２４】
機構板５０は、機構枠体や裏機構枠体等とも称され、前記タンク３０，タンクレール３１，賞球払出機構部３２，貸球払出機構部３３，前記各基板ｋ５〜ｋ１３等、当該弾球遊技機１の遊技の進行に必要な各種の裏構成部品が取り付けられるためのものである。実施例の機構板５０は、図４〜図６から分かるように、略中央に開口部５１が設けられた形状からなって、前記集合板４０全体或いはその一部が前記開口部５１内に位置するように遊技盤２０の後側に配設される。なお、実施例の機構板５０は、軸部５２，５３を介して、前記前枠５（遊技盤取付枠が前枠に取り付けられる場合は遊技盤取付枠）に着脱可能に、かつ、先の従来技術の欄で図１２を用いて説明した弾球遊技機８０と同様に、後方に開閉自在に取り付けられている。
【００２５】
また、当該機構板５０は、前記集合板４０の集合路４２からの入賞球（遊技球）、この実施例では前記入賞球に加えて前記遊技盤２０のアウト口Ｏから入球したアウト球（遊技球）を受け止めて遊技機１外部に排出するための誘導通路（入賞球兼アウト球用誘導通路）５５を有している。この実施例では、前記誘導通路５５は、前記開口部５１周縁の下部に、前記集合板４０の集合路４２に近接（隣接）して設けられている。また、図６及び図７から理解されるように、前記誘導通路５５は上方が開口し、その開口５６を介して前記集合路４２及びアウト口Ｏに通じ、それらからの入賞球及びアウト球（遊技球）を収容できるようになっている。
【００２６】
そして、この弾球遊技機１では、図４〜図８に示すように、前記機構板５０の開口部５１周縁下部における誘導通路５５の側方に、前記複数の配線ｅ１〜ｅ１６のうち、所定の配線、この第１実施例では音声制御基板ｋ３とスピーカＳを接続する配線ｅ６の少なくとも一部が収容可能な収容空間６１を有する配線収容部６０が設けられている。
【００２７】
この第１実施例においては、前記配線収容部６０は、前記誘導通路５５に隣接し、さらにはその上部の前側に遊技盤２０下部が位置するように設けられている。また、前記配線収容部６０の収容空間６１は、機構板５０の前面側に立設された仕切壁６２〜６５によって形成され、前側（前枠５側）が開口して、その開口６１ｏを介して配線ｅ６を出し入れできるようになっている。さらに、図示の例では、前記仕切壁６２〜６５によって、前記収容空間６１の周囲が平面視方形状に包囲されている。またさらに、前記収容空間６１の上方（機構板５０の開口部５１側）に位置する上側仕切壁６５の前側（先端側）には切り欠き部６６が形成されている。前記切り欠き部６６によって、前枠５に組み付けられた機構板５０の閉時において、機構板５０の開口部５１周縁下部（配線収容部６０）の前面と遊技盤２０の後面間に配線挿通可能空間（隙間）Ｇ１が構成され、該配線挿通可能空間Ｇ１（切り欠き部６６）を介して前記収容空間６１と機構板５０の開口部５１内部とが連通することになり、収容空間６１内に収容された配線ｅ６を当該切り欠き部６６に挿通して前記機構板５０の開口部５１内部へ導くことができる。なお、前記収容空間６１の形状は特に限定されるものではない。また、図では、前記収容空間６１の周囲は仕切壁６２〜６５で完全に包囲されているが、これに限らず、隣り合う仕切壁６２〜６５間に隙間ができるようにしても良い。加えて、図８に示すように、機構板５０の配線収容部６０の下部、具体的には仕切壁６２，６４下部及び仕切壁６３の前端と前枠５の後面間には隙間Ｇ２が設けられ、その隙間Ｇ２から前枠５後側の配線を前記収容空間６１内に挿入できるようになっている。
【００２８】
次に、前記配線収容部６０の収容空間６１の使用の一例として、前記スピーカＳと音声制御基板ｋ３の配線接続例について説明する。この例では、まず、前記皿部材９の上側球受け皿部１１と取付板部１３間に配設されたスピーカＳに配線ｅ６の一端側（スピーカ接続端側）を接続し、一方、他端側である音声制御基板接続端側を、図２に示すように前記取付板部１３に形成された配線取り出し口１３ａから取付板部１３の後側に導出する。
【００２９】
次いで、前記取付板部１３の後側に現れた配線ｅ６の音声制御基板接続端側を、前枠５（遊技盤取付枠が前枠の後側に設けられる場合は当該遊技盤取付枠も含む。以下同じ。）の開口部５ｏの下方に形成された配線通過口５ａより前枠後側（遊技盤２０後側）に引き出し、その引き出した部分を、図４，図５，図９に示すように、前枠５の開口部５ｏ周縁下部の後面と機構板５０の開口部５１周縁下部の前面間の空間を通して、前記機構板５０の前面側に設けられた配線収容部６０まで引き延ばす。なお、図中の符号５ｂは配線ｅ６を引っかけるために前枠５の後面に設けられた配線用引っかけリブである。
【００３０】
そして、前記前枠５の後側の配線収容部６０に至った配線ｅ６の所定部分を、図８から理解されるように、前記配線収容部６０の下部前面と前枠５の後面間の隙間Ｇ２から配線収容部６０の収容空間６１内に挿入する。この際、配線ｅ６の前記収容空間６１内に挿入する部分の長さは、配線ｅ６の全長及びスピーカＳ及び音声制御基板ｋ３の配設位置等を考慮して適宜定められる。上記配線ｅ６の収容空間ｅ６内への挿入後、図７及び図８に示すように、当該配線ｅ６の音声制御基板接続端側を、前記配線収容部６０における収容空間６１の上方に位置する上側仕切壁６５に形成された切り欠き部６６と遊技盤２０の後面間の配線挿通可能空間Ｇ１から機構板５０の開口部５１内部に位置する遊技盤２０の後側に導き、その配線ｅ６の音声制御基板接続端を、図３に示すように遊技盤２０の後側に配設された音声制御基板ｋ３に接続する。
【００３１】
上記の如く、配線収容部６０の収容空間６１内に配線の一部を収容するようにすれば、配線の嵩張りを低減でき、遊技機１の後側の煩雑さを緩和することができる。また、上述したように、機構板５０以外の前枠５や皿部材９や遊技盤２０等に配設される構成部品同士を接続する配線（上の例示では皿部材９に配設されるスピーカＳと遊技盤２０の後側に配設された音声制御基板ｋ３とを接続する配線ｅ６）が、機構板５０の開口部５１周縁下部前面と前枠５後面間を経て前記開口部５１内の遊技盤２０の後側に配されるようにすれば、機構板５０をまたぐようにして機構板５０の開口部５１を通過する配線を無くす、或いは少なくすることができる。その結果、遊技機の組み立てやメンテナンス時等に、機構板５０に配設された構成部品及びその構成部品につながっている配線を取り外せば、機構板５０を容易に開放することができ、ひいては前記組み立てやメンテナンス等の作業効率が向上する。
【００３２】
次に、本発明の第２実施例について、図１０を用いて説明する。なお、図１０では、前記第１実施例と同一部材は同一符号で示し、その説明は省略する。この第２実施例では、機構板５０に設けられる配線収容部６０の収容空間６１の上部（機構板５０の開口部５１側部分）に、前記収容空間６１を形成するために機構板５０の前面側に立設された仕切壁（第１実施例の上側仕切壁６５に相当する。）の欠如によって開放部６７が形成され、該開放部６７を介して配線ｅ６が挿通可能となっている。このように構成しても、前記開放部６７（配線挿通可能空間）を介して前記収容空間６１と機構板５０の開口部５１内部とが連通し、収容空間６１内に収容された配線ｅ６を前記開放部６７に通して前記機構板５０の開口部５１内部へ導くことができる。すなわち、この第２実施例の構成によっても、前記第１実施例と同じ効果を得ることができる。
【００３３】
続いて、本発明の第３実施例について、図１１を用いて説明する。なお、図１１では、前記第１実施例と同一部材は同一符号で示し、その説明は省略する。この第３実施例では、機構板５０の誘導通路５５の遊技球受入可能幅Ｌ１が、集合板４０の集合路４２下部の出口幅Ｌ２と同一、或いは略同一となっている。このようにすれば、上記第１実施例及び第２実施例の効果に加えて、機構板５０の誘導通路５５の余分なスペースがなくなり、設計上有利である。また、前記誘導通路５５（開口）全体が集合板４０によりカバーされることになるため、当該誘導通路５５内にゴミ等の異物が入るのを防ぐことができる。なお、この第３実施例における誘導通路５５の幅は、第１実施例における誘導通路よりも小さくなっており、その分だけ配線収容部６０の収容空間６１の容積が大になっている。そのため、第１実施例に比べて第３実施例の方が、配線収容部６０の収容空間６１に収容できる配線部分の長さが長くなる。
【００３４】
なお、本発明は、上述した各実施例に限定されるものではなく、発明の趣旨を逸脱しない範囲において構成の一部を適宜に変更して実施することができる。例えば、上記各実施例では、機構板５０の配線収容部６０は誘導通路５５に隣接して設けられているが、これに限らず、前記配線収容部と誘導通路を離して設けるようにしても良い。
【００３５】
また、上記各実施例では、配線収容部６０の収容空間６１の前側が開口しているが、これに限定されず、前記収容空間の前側が塞がれるようにしても良い。なお、その場合には、前記収容空間を包囲する部材（仕切壁や収容空間の前側を塞ぐ部材）に、前記収容空間と機構板の開口部内部とを連通する穴（例えば、上記各実施例の上側仕切壁６５に相当する部分に形成される穴等）と、前記収容空間と機構板の前側空間とを連通する穴（例えば、上記各実施例の上側仕切壁６５を除く仕切壁６２〜６４に相当する部分や収容空間の前側を塞ぐ部材に形成される穴等）を形成するようにする。
【００３６】
さらに、上記各実施例においては、皿部材９に配設されたスピーカＳと遊技盤２０の後側に配設された音声制御基板ｋ３とを接続する配線ｅ６の一部が、機構板５０に設けられた配線収容部６０の収容空間６１内に収容されているが、前記収容空間６１内に収容することができる配線は、前記配線ｅ６に限定されず、適宜の配線を前記収容空間６１内に収容することができる。但し、この配線収容部６０の収容空間６１に、機構板５０に配設された（何らかの部品等を介して機構板５０に間接的に配設された場合を含む。）構成部品以外の構成部品間、つまり前記前枠５，皿部材９，遊技盤２０等の機構板５０以外の部材に配設された構成部品間を接続する配線を収容するようにすれば、当該配線が機構板５０の後方への開放の妨げにならず、好適である。
【００３７】
加えて、上記各実施例では、配線収容部６０の収容空間６１内に収容される配線は、電気的性質を有する電気部品間を接続する導電性を有するものとされているが、これに限らず、電気的性質を有しない非電気部品同士、及び前記電気部品と非電気部品間を接続する導電性を有しない線を前記配線収容部６０の収容空間６１内に収容するようにしても良い。
【００３８】
【発明の効果】
以上図示し説明したように、本発明に係る弾球遊技機によれば、機構板の誘導通路の側方に収容空間を有する配線収容部が設けられ、前記収容空間に遊技機の遊技の進行に必要な開口部周縁の下部よりも上方にある遊技機の電気的構成部材と該開口部周縁の下部よりも下方にある遊技機の電気的構成部材間を電気的に接続する配線の少なくとも一部が収容されており、前記配線収容部は前記機構板の開口部周縁の下部であり、且つ前記配線収容部の上部が遊技盤の後側に位置するように設けられているため、前記配線の嵩張りを低減でき、遊技機の後側の煩雑さを緩和することができる。
【００３９】
また、前記配線収容部の前記収容空間は、前記機構板の前面側に立設された仕切壁によって形成されているので、配線収容部を極めて簡単に構成することができると共に当該収容空間内における配線の収まりが良好となり、特に、前記収容空間の上部は前記仕切壁の少なくとも一部を切り欠いた切り欠き部或いは前記仕切壁の欠如による開放部により構成されているので、前記切り欠き部或いは開放部と機構板前面側に設けられた遊技盤或いは前枠等との間に隙間ができ、その隙間から前記収容空間内への配線の出し入れを行うことができる。加えて、前記機構板の前記配線収容部の下部前端と前記遊技盤下方の前記前枠後側との間に、前記前枠後側の前記配線を前記収容空間に挿入する隙間を設けたので、その隙間から前枠後側の配線を前記収容空間内に挿入することができる。
【００４０】
さらに、前記切り欠き部或いは前記開放部によって、前記機構板の閉時において、前記機構板の前記開口部周縁下部の前面と前記遊技盤の後面間に前記配線が挿通できる配線挿通可能空間が構成され、前記配線挿通可能空間を介して前記収容空間と前記機構板の開口部とを連通するようにし、前記配線収容部の前記収容空間内に収容された前記配線が前記配線挿通可能空間を挿通して前記開口部内に導出する構成としたため、前記切り欠き部又は開放部と遊技盤との間に隙間ができ、その隙間を介して機構板の開口部内の遊技盤の後側に配線を通すことができる。
【００４１】
加えて、配線は、各種基板，スピーカ，払出装置，入球検出器，発射装置，ランプ等の電気的構成部材間を電気的に接続するため、多くの電気的構成部材が配設される弾球遊技機に対して、好適に適用することできる。
【００４２】
また、請求項２の発明の如く、前記配線収容部の収容空間の前側が開口するように構成すれば、機構板の前側から配線の一部を容易に収容することができる。
【００４３】
さらに、請求項３の発明のように、機構板の開口部周縁下部に、前記配線収容部を誘導通路と隣接して設けるようにすれば、機構板の開口部より下側に位置する配線を収容するのに好適であると共に、機構板の開口部周縁下部において無駄なスペースがなくなる。
【００４４】
請求項５の発明のように、前記配線収容部の収容空間内に収容される配線を、前枠，皿部材，遊技盤等の機構板以外の部材に配設された遊技機の電気的構成部材間を接続する配線とすれば、機構板をまたぐ配線が無くなり、或いは少なくなるため、機構板の開放の妨げとなる要因を低減でき、ひいては遊技機の修理，調整等のメンテナンスの作業効率が向上する。
【００４５】
また、請求項６の発明のように、機構板の誘導通路を集合板の集合路の下方に設け、前記誘導通路の遊技球受入可能幅を集合板の集合路下部の出口幅と同一、或いは略同一とすれば、前記誘導通路の余分なスペースがなくなり、設計上有利であると共に、前記誘導通路全体が集合板により覆われることになるため、当該誘導通路内にゴミ等の異物が入り難くすることができる。
【図面の簡単な説明】
【図１】  本発明の第１実施例に係る弾球遊技機を示す前面図である。
【図２】  同弾球遊技機のガラス枠及び皿部材の開放時を示す前方から見た図である。
【図３】  同弾球遊技機の一部の部品を取り外した状態の後面図である。
【図４】  同弾球遊技機の前枠に集合板及び機構板を取り付けた状態の後面図である。
【図５】  同弾球遊技機の集合板及び機構板の後面図である。
【図６】  同弾球遊技機の機構板の前面図である。
【図７】  同機構板の配線収容部及びその周辺を示す部分斜視図である。
【図８】  同弾球遊技機の遊技盤を前枠に取り付けた場合における図５のｘ−ｘ断面図である。
【図９】  同弾球遊技機の前枠の後面図である。
【図１０】  本発明の第２実施例における機構板の配線収容部及びその周辺を示す部分斜視図である。
【図１１】  本発明の第３実施例における集合板及び機構板の後面図である。
【図１２】  従来の弾球遊技機における外枠，前枠，機構板等の構造の概略を示す斜視図である。
【図１３】  従来の弾球遊技機における機構板の後面図である。
【符号の説明】
１  弾球遊技機
２０  遊技盤
２５  遊技領域
４０  集合板
４２  集合路
５０  機構板
５１  機構板の開口部
５５  誘導通路
６０  配線収容部
６１  収容空間
６２〜６５  仕切壁
６６  切り欠き部
６７  開放部
Ｈ  発射装置
Ｎ１〜Ｎ７  入賞口
ｋ１〜ｋ１３  基板
ｅ１〜ｅ１６  配線
【図１】
0004118529.tif 000002
【図２】
0004118529.tif 000003
【図３】
0004118529.tif 000004
【図４】
0004118529.tif 000005
【図５】
0004118529.tif 000006
【図６】
0004118529.tif 000007
【図７】
0004118529.tif 000008
【図８】
0004118529.tif 000009
【図９】
0004118529.tif 000010
【図１０】
0004118529.tif 000011
【図１１】
0004118529.tif 000012
【図１２】
0004118529.tif 000013
【図１３】
0004118529.tif 000014